(57)【要約】【課題】複雑なゲームを多数の人が自由に楽しむことができるカードゲーム具を提供する。【解決手段】麻雀の萬子と索子と筒子の図柄と太陽系の惑星の図柄を表示した４種類の１〜９までのカードと、各種類毎に１〜９までのカードの代わりとなるカードを有する数カード１と、麻雀の四風牌の東と南と西及び北の文字をそれぞれ表示した各４枚ずつのカードと４種類のカードの代わりとなるカードと、麻雀の三元牌の白と発と中の文字をそれぞれ表示した各３枚ずつのカード及び３類のカードの代わりとなるカードを有する文字カード２と、トランプのスペードとハートとダイヤ及びクラブのジャックとクインとキングの絵柄とジョーカーの絵柄を表示した絵柄カード３を使用して８枚のカードの組合せにより勝敗を競う。【選択図】    図５
0003125143.tif 000002
【実用新案登録請求の範囲】
【請求項１】
数カードと文字カード及び絵柄カードの８枚の組合せによりゲームを行うカードゲーム具であって、
前記数カードは麻雀の萬子と索子と筒子の図柄をそれぞれ表示した萬子カードと索子カードと筒子カード及び太陽系の惑星の図柄を軌道の順に配置した惑星カードをそれぞれ１〜９まで各１枚ずつ合計３６枚と、前記萬子カードと索子カードと筒子カード及び惑星カードの同種カードの１〜９の代わりに使用される萬子自由カードと索子自由カードと筒子自由カードと惑星自由カードが各１枚ずつ４枚有し、
前記文字カードは麻雀の四風牌の東と南と西及び北の文字をそれぞれ表示した東カードと南カードと西カードと北カードが各４枚ずつ合計１６枚と、麻雀の三元牌の白を表示した白カード及び発と中の文字を表示した発カードと中カードが各３枚ずつ合計９枚と、前記東カードと南カードと西カードと北カードの代わりに使用される四風自由カード及び前記白カードと発カードと中カードの代わりに使用される三元自由カードを各１枚ずつ２枚有し、
前記絵柄カードはトランプのスペードとハートとダイヤ及びクラブのジャックとクインとキングの絵柄を表示したジャックカードとクインカードとキングカードの１２枚とジョーカーの絵柄を表示したジョーカーカードの合計１３枚有することを特徴とするカードゲーム具。
【考案の詳細な説明】
【技術分野】
【０００１】
この考案は、麻雀とポーカーの機能を有するガードゲーム具に関するものである。
【背景技術】
【０００２】
従来、カードゲーム具としてはトランプや百人一種や花札等が使用されている。また、特許文献１や特許文献２に示すように各種の機能カードを有するカードゲーム具が使用されている。
【０００３】
特許文献１に示されたガードゲーム具は、加点数の表示が異なる複数種類の加点カード及び減点数の表示が異なる複数種類の減点カードから構成された点数カードと、加点カードの少なくとも１つに対応することを表示した複数種類の点数対応カード及びヒットカードから構成された手持ちカードとを有し、プレーヤーは引いた手持ちカードからヒットカードと点数対応カードを組み合わせることにより点数カードを１枚引き、引いた点数カードが出した点数対応カードに対応した場合にその点数カードを得ることができ、得た点数カードの合計得点により勝敗を競うようにしている。
【０００４】
特許文献２に示されたカードゲーム具は、プレーヤーの扮するマスターカードと、所定の能力と体力を有するモンスターカードを使用して相手のマスターカードやモンスターカードと攻防を繰り返して、相手のマスターカードの体力を零にするようにして勝敗を競うようにしている。
【０００５】
また、遊戯具として麻雀は将棋や囲碁のように難解な定石や深い読みを必要としないで勝敗を競うため、高齢者等でもゲームを楽しんでいる。
【特許文献１】特開２０００−９３５７３号公報
【特許文献２】特開２００１−２０４８７４号公報
【考案の開示】
【考案が解決しようとする課題】
【０００６】
トランプや百人一種等のカードゲーム具は比較的ゲームが単純なものになっている。また、特許文献１及び特許文献２に示されたカードゲーム具はいずれも子供に多く使用され、高齢者等が楽しむことは極まれである。また、麻雀を楽しむためには麻雀牌が必要であり、楽しむ場所も限定されてしまう。
【０００７】
この考案は、このような制限を解消し、複雑なゲームを多数の人が自由に楽しむことができるカードゲーム具を提供することを目的とする。
【課題を解決するための手段】
【０００８】
この考案のカードゲーム具は、数カードと文字カード及び絵柄カードの８枚の組合せによりゲームを行うカードゲーム具であって、前記数カードは麻雀の萬子と索子と筒子の図柄をそれぞれ表示した萬子カードと索子カードと筒子カード及び太陽系の惑星の図柄を軌道の順に配置した惑星カードをそれぞれ１〜９まで各１枚ずつ合計３６枚と、前記萬子カードと索子カードと筒子カード及び惑星カードの同種カードの１〜９の代わりに使用される萬子自由カードと索子自由カードと筒子自由カードと惑星自由カードが各１枚ずつ４枚有し、前記文字カードは麻雀の四風牌の東と南と西及び北の文字をそれぞれ表示した東カードと南カードと西カードと北カードが各４枚ずつ合計１６枚と、麻雀の三元牌の白を表示した白カード及び発と中の文字を表示した発カードと中カードが各３枚ずつ合計９枚と、前記東カードと南カードと西カードと北カードの代わりに使用される四風自由カード及び前記白カードと発カードと中カードの代わりに使用される三元自由カードを各１枚ずつ２枚有し、前記絵柄カードはトランプのスペードとハートとダイヤ及びクラブのジャックとクインとキングの絵柄を表示したジャックカードとクインカードとキングカードの１２枚とジョーカーの絵柄を表示したジョーカーカードの合計１３枚有することを特徴とする。
【考案の効果】
【０００９】
この考案のカードゲーム具は、数カードと文字カード及び絵柄カードで麻雀とポーカーの機能を組合せるようにしたから、ゲームを行うとき８枚のカードの多様な組合せを作ることができ、この組合せにより点数を決めることにより、複雑で多いに楽しめるゲームを行うことができる。
【考案を実施するための最良の形態】
【００１０】
図１〜図３はこの考案のカードゲーム具の構成図である。このカードゲーム具は麻雀とポーカーの機能を組み合わせたものであり、図１に示すように数カード１と、図２に示す文字カード２及び図３に示す絵柄カード３とを有する。数カード１は麻雀の萬子と索子と筒子の図柄をそれぞれ表示した萬子カード１１と索子カード１２と筒子カード１３及び太陽系の惑星の図柄を軌道の順に配置した惑星カード１４がそれぞれ１〜９まで各１枚ずつ合計３６枚と、萬子カード１１と索子カード１２と筒子カード１３及び惑星カード１４の同種カードの１〜９の代わりに使用される萬子自由カード（１０カード）１５と索子自由カード１６と筒子自由カード１７と惑星自由カード１８が各１枚ずつ４枚有する。
【００１１】
文字カード２は麻雀の四風牌の東と南と西及び北の文字をそれぞれ表示した東カード２１と南カード２２と西カード２３と北カード２４が各４枚ずつ合計１６枚と、麻雀の三元牌の白を表示した白カード２５及び発と中の文字を表示した発カード２６と中カード２７が各３枚ずつ合計９枚と、東と南と西及び北の文字を全て表示して東カード２１と南カード２２と西カード２３と北カード２４の代わりに使用される四風自由カード２８及び白と発と中を全て表示して白カード２５と発カード２６と中カード２７の代わりに使用される三元自由カード２９を各１枚ずつ２枚有する。
【００１２】
絵柄カード３はトランプのスペードとハートとダイヤ及びクラブのジャックとクインとキングの絵柄を表示したジャックカード３１とクインカード３２とキングカード３３の１２枚とジョーカーの絵柄を表示したジョーカーカード３４の合計１３枚有する。
【００１３】
数カード１の惑星カード１４の１〜９は萬子カード１１と索子カード１２及び筒子カード１３の１〜９として使用することができ、絵柄カード３は場合によっては数カード１の１〜９として使用することができる。この惑星カード１４と絵柄カード３を使用することにより麻雀よりも多い種々の組合せを作ることができる。
【００１４】
このカードゲーム具を使用して３人〜５人でゲームを楽しむことができる。そこで例えば４人でカードゲーム具を使用してゲームをする方法について説明する。ゲームをする４人がそれぞれ任意の位置につき、文字カード２の東カード２１と南カード２２と西カード２３及び北カード２４を裏返して中央に置き、いずれか選択された人がどれか１枚を取り、他の人が順に左回りで残りのカードを取り、取ったカードにより４人の位置を決定する。その後、４人の位置により親になる人を決める。ここで３人又は５人でゲームをする場合、ゲームをする人の位置を決定しないで親を決めても良い。
【００１５】
親になった人がカードを裏返した状態で順番に２枚ずつ４人に配り、これを３回繰り返して４人に合計６枚のカードを配った後、最後に１枚ずつ３人に配り、親になった人は２枚取り、残りのカードを裏返した状態で４人の中央に置く。この状態で親になった人は手持ちのカードから不要なカードを１枚選び、そのカードを表にして自分の前に置く。その後、親になった人の隣の人が中央にあるカードを１枚取り、不要なカードを１枚選び、そのカードを表にして自分の前に置く。これを順次繰り返して４人の手持ちの７枚のカードに１枚追加して８枚にしたときのカードの組合パターンにより勝敗を競う。
【００１６】
このカードの組合パターンには、図４（ａ）に示すように、数カード１の同種のカード例えば萬子カード１１や索子カード１２の数字が順序良く３枚並んだ場合や、図４（ｂ）に示すように、数カード１の同じ数が３枚並んだ場合や、文字カード２と絵柄カード３の同種のカードが３枚並んだ場合、図４（ｃ）に示すように、数カードの同じ数や文字カード２と絵柄カード３の同種のカードが２枚並んだ場合等多数の組合せがある。
【００１７】
そして例えば図５（ａ）に示すように、手持ちの７枚のカードが数カード１の同じ数の２枚の組合せ、例えば索子カード１２と惑星カード１４の「５」の２枚のカードの組合せと、数カード１の同種のカードの数字が連続した３枚の組合せ、例えば筒子カード１３の「７から９」の３枚のカードの組合せと、数カード１の同種のカードの数字が連続した２枚の組合せ、例えば萬子カード１１の「３と４」の２枚のカードの組合せであるとき、萬子カード１１の「５」のカードを取ると、８枚のカードが所定の組合せになりアガリとなる。また、図５（ｂ）に示すように、数カード１の同じ数の２枚の組合せと、数カード１の同じ数の３枚の組合せ及び数カード１の同種のカードの数字が連続した２枚の組合せ例えば索子カード１２の「６と７」のカードの組合せが手持ちにあるとき、索子自由カード１６を取ると、８枚のカードが所定の組合せになりアガリとなる。また、例えば図５（ｃ）に示すように、文字カード２の同じ文字や絵柄の２枚の組合せと、数カード１の同じ数の３枚の組合せ及び数カード１の同じ数の２枚の組合せが手持ちにあるとき、数カード１の同じ数の２枚の組合せと同じ数のカードを取るとアガリになり、例えば図５（ｄ）に示すように、絵柄カード３の同じ絵柄の２枚の組合せと、数カード１の同種のカードの連続した数の３枚の組合せ及び数カード１の同種のカードの連続した数の２枚の組合せが手持ちにあるとき、数カード１の連続した数の２枚の組合せと連続するカードを取るとアガリになる。これらの組合せは麻雀と同様な組合せであり、多数の組合せにすることができる。
【００１８】
また、図６（ａ）に示すように、例えば数カード１の索子カード１２の「１〜７」のカードが手持ちにあるとき、索子自由カード１６を取るとアガリになり、図６（ｂ）に示すように、例えば絵柄カード３の２枚の同じクインカード３２の組合せと、絵柄カード３の同じ絵柄のジャックカード３１とクインカード３２とキングカード３３の３枚の組合せ及び絵柄カード３の同じ絵柄のジャックカード３１とクインカード３２の２枚の組合せが手持ちにあるときジャックカード３１とクインカード３２の２枚の組合せと同じ絵柄のキングカード３３を取るとアガリになる。すなわちトランプのポーカーと同様な組合せにすることもできる。
【００１９】
このように種々の組合せを作るとき、例えば図５（ｃ）に示すように、文字カード２の同じ文字や絵柄の２枚の組合せと、数カード１の同じ数の３枚の組合せ及び数カード１の同じ数の２枚の組合せが手持ちにあるとき、数カード１の同じ数の２枚の組合せと同じ数のカードを中央に裏返して置いたカードから取るのではなしに、数カード１の同じ数の２枚の組合せと同じ数のカードを他人が不要として前に出したとき、そのカードを取ることもできる。また、図６（ｂ）に示すように、２枚の同じクインカード３２の組合せと、同じ絵柄のジャックカード３１とクインカード３２とキングカード３３の３枚の組合せ及び同じ絵柄のジャックカード３１とクインカード３２の２枚の組合せが手持ちにあるとき、前の人がジャックカード３１とクインカード３２の２枚の組合せと同じ絵柄のキングカード３３を不要として前に出したら、そのキングカード３３を取ってアガルこともできる。これは麻雀の「ポン」と「チー」と同じ方法である。
【００２０】
このように８枚のカードの多様な組合せを作ることができ、この組合せにより点数を決めることにより、複雑で多いに楽しめるゲームを行うことができる。
【図面の簡単な説明】
【００２１】
【図１】この考案のカードゲーム具を構成する数カードの表面図である。
【図２】カードゲーム具を構成する文字カードの表面図である。
【図３】カードゲーム具を構成する絵柄カードの表面図である。
【図４】カードの組合せパターンを示す表面図である。
【図５】カードゲーム具を使用したゲーム方法のアガリパターンを示す表面図である。
【図６】カードゲーム具を使用したゲーム方法の他のアガリパターンを示す表面図である。
【符号の説明】
【００２２】
１；数カード、２；文字カード、３；絵柄カード、１１；萬子カード、
１２；索子カード、２３；筒子カード、１４；惑星カード、１５；萬子自由カード、
１６；索子自由カード、１７；筒子自由カード、１８；惑星自由カード、
２１；東カード、２１；南カード、２３；西カード、２４；北カード、
２５；白カード、２６；発カード、２７；中カード、２８；四風自由カード、
２９；三元自由カード、３１；ジャックカード、３２；クインカード、
３３；キングカード、３４；ジョーカーカード。
【図１】
0003125143.tif 000003
【図２】
0003125143.tif 000004
【図３】
0003125143.tif 000005
【図４】
0003125143.tif 000006
【図５】
0003125143.tif 000007
【図６】
0003125143.tif 000008